(57)【要約】【課題】カチオンが共存する場合でも、過酢酸含有排水を効率的に処理することができ、処理水中の酢酸の残存量を低減することができる過酢酸含有排水の処理装置を提供する。【解決手段】過酢酸含有排水中の過酢酸を還元処理する還元塔１２と、還元塔１２で処理された還元処理水を処理するための、弱塩基性アニオン交換樹脂を充填したアニオン交換樹脂塔１４と、アニオン交換樹脂塔１４で処理されたアニオン交換処理水を処理するための、強酸性カチオン交換樹脂と強塩基性アニオン交換樹脂または弱塩基性アニオン交換樹脂とを充填した混床式イオン交換樹脂塔１６とを備える過酢酸含有排水の処理装置１である。【選択図】図１
2014064971.tif 000002
【特許請求の範囲】
【請求項１】
過酢酸含有排水を還元処理する還元手段と、
前記還元処理された還元処理水をアニオン交換処理するための、弱塩基性アニオン交換樹脂を充填したアニオン交換樹脂塔と、
前記アニオン交換処理されたアニオン交換処理水をイオン交換処理するための、強酸性カチオン交換樹脂と強塩基性アニオン交換樹脂または弱塩基性アニオン交換樹脂とを充填した混床式イオン交換樹脂塔と、
を備えることを特徴とする過酢酸含有排水の処理装置。
【請求項２】
請求項１に記載の過酢酸含有排水の処理装置であって、
前記混床式イオン交換樹脂塔における強酸性カチオン交換樹脂と強塩基性アニオン交換樹脂または弱塩基性アニオン交換樹脂との充填比率が１：１〜１：４であることを特徴とする過酢酸含有排水の処理装置。
【請求項３】
請求項１または２に記載の過酢酸含有排水の処理装置であって、
前記混床式イオン交換樹脂塔の後段に設置した水質測定手段を備えることを特徴とする過酢酸含有排水の処理装置。
【請求項４】
請求項３に記載の過酢酸含有排水の処理装置であって、
前記混床式イオン交換樹脂塔を複数備え、
前記水質測定手段による測定結果に基づき、前記複数の混床式イオン交換樹脂塔の通水経路を切り替える通水経路切り替え手段をさらに備えることを特徴とする過酢酸含有排水の処理装置。
【請求項５】
請求項１〜４のいずれか１項に記載の過酢酸含有排水の処理装置であって、
前記混床式イオン交換樹脂塔の樹脂を再生する混床式イオン交換樹脂塔再生手段と、
前記混床式イオン交換樹脂塔の再生排水を用いて前記アニオン交換樹脂塔の樹脂を再生するアニオン交換樹脂塔再生手段と、
を備えることを特徴とする過酢酸含有排水の処理装置。
【請求項６】
過酢酸含有排水を還元処理する還元工程と、
前記還元処理された還元処理水を、弱塩基性アニオン交換樹脂を用いてアニオン交換処理するアニオン交換工程と、
前記アニオン交換処理されたアニオン交換処理水を、強酸性カチオン交換樹脂と強塩基性アニオン交換樹脂または弱塩基性アニオン交換樹脂との混床を用いてイオン交換処理する混床式イオン交換工程と、
を含むことを特徴とする過酢酸含有排水の処理方法。
【請求項７】
請求項６に記載の過酢酸含有排水の処理方法であって、
前記混床式イオン交換工程における強酸性カチオン交換樹脂と強塩基性アニオン交換樹脂または弱塩基性アニオン交換樹脂との充填比率が１：１〜１：４であることを特徴とする過酢酸含有排水の処理方法。
【請求項８】
請求項６または７に記載の過酢酸含有排水の処理方法であって、
前記混床式イオン交換工程の後段において水質測定を行うことを特徴とする過酢酸含有排水の処理方法。
【請求項９】
請求項８に記載の過酢酸含有排水の処理方法であって、
前記混床式イオン交換工程において混床式イオン交換樹脂塔を複数用い、前記混床式イオン交換工程の後段における水質測定結果に基づき、前記複数の混床式イオン交換樹脂塔の通水経路を切り替えることを特徴とする過酢酸含有排水の処理方法。
【請求項１０】
請求項６〜９のいずれか１項に記載の過酢酸含有排水の処理方法であって、
前記混床の再生排水を用いて前記弱塩基性アニオン交換樹脂を再生することを特徴とする過酢酸含有排水の処理方法。
【発明の詳細な説明】
【技術分野】
【０００１】
本発明は、過酢酸含有排水の処理装置および処理方法、特に飲料製品等の充填前のペットボトル等の容器等を洗浄、殺菌した際に発生する過酢酸含有排水の処理装置および処理方法に関する。
【背景技術】
【０００２】
食品業界等、例えば、飲料分野では、飲料製品の充填前のペットボトル等の容器を洗浄、殺菌するため、オキソニア（酢酸、過酢酸および過酸化水素が混合された洗浄液）に代表される殺菌剤を用いる場合がある。ペットボトルにオキソニア等を噴射して洗浄、殺菌を行うが、この際、ペットボトルに残留したオキソニア等を水道水または純水で流しており、オキソニア等を含む洗浄排水が発生する。なお、一般に、ペットボトル等を洗浄する水はリンサー水、洗浄後の水はリンサー排水と呼ばれる。
【０００３】
このオキソニア等を含むリンサー排水は、酢酸、過酢酸等の有機物を含むため、排出する前に処理を行う必要がある。また、昨今の環境意識の高まり等により、各飲料メーカーでは、リンサー排水を水回収し、再利用することで水の使用量を削減することを検討している。
【０００４】
有機酸系殺菌剤の代表例であるオキソニアの主成分は、上記の通り、酢酸、過酢酸および過酸化水素である。オキソニアを含むリンサー排水の処理システムとしては、例えば、まず活性炭等を充填した還元装置において過酢酸および過酸化水素の還元を行い、次いで酢酸をイオン交換樹脂や逆浸透膜（ＲＯ膜）等で除去する方法がある。
【０００５】
例えば、特許文献１には、過酢酸含有水を活性炭と接触させた後、強酸性カチオン交換樹脂、弱塩基性アニオン交換樹脂の順序で接触させる方法が開示されている。特許文献２には、過酢酸含有排水を活性炭と接触させた後、弱塩基性アニオン交換樹脂、強酸性カチオン交換樹脂の順序で接触させる方法や、過酢酸含有排水を活性炭と接触させた後、強酸性カチオン交換樹脂および強塩基性アニオン交換樹脂の混床と接触させる方法が開示されている。
【０００６】
このように、過酢酸含有排水を活性炭とイオン交換樹脂の組み合わせで処理する場合、後段のイオン交換樹脂への負荷はほとんどが酢酸由来のアニオン負荷であるので、特許文献１に示される方法では、処理に必要な総樹脂量が増え、イニシャルコストが高くなるという問題がある。特許文献２に示される方法の場合、被処理水中に水道水や他の薬液由来のカチオンが共存する場合、弱塩基性アニオン交換樹脂で先に酢酸を処理すると、共存カチオンの影響を受け、処理水中に酢酸が残存する可能性がある。また、強塩基性アニオン交換樹脂を用いた場合、処理水中の酢酸の残存量は低減されるが、一方で再生剤の使用量が増えランニングコストが高くなるという問題がある。
【先行技術文献】
【特許文献】
【０００７】
【特許文献１】特開２００１−１２９５６４号公報
【特許文献２】特開２０１２−０３５１９６号公報
【発明の概要】
【発明が解決しようとする課題】
【０００８】
本発明の目的は、カチオンが共存する場合でも、過酢酸含有排水を効率的に処理することができ、処理水中の酢酸の残存量を低減することができる過酢酸含有排水の処理装置および過酢酸含有排水の処理方法を提供することにある。
【課題を解決するための手段】
【０００９】
本発明は、過酢酸含有排水を還元処理する還元手段と、前記還元処理された還元処理水をアニオン交換処理するための、弱塩基性アニオン交換樹脂を充填したアニオン交換樹脂塔と、前記アニオン交換処理されたアニオン交換処理水をイオン交換処理するための、強酸性カチオン交換樹脂と強塩基性アニオン交換樹脂または弱塩基性アニオン交換樹脂とを充填した混床式イオン交換樹脂塔と、を備える過酢酸含有排水の処理装置である。
【００１０】
また、前記過酢酸含有排水の処理装置において、前記混床式イオン交換樹脂塔における強酸性カチオン交換樹脂と強塩基性アニオン交換樹脂または弱塩基性アニオン交換樹脂との充填比率が１：１〜１：４であることが好ましい。
【００１１】
また、前記過酢酸含有排水の処理装置において、前記混床式イオン交換樹脂塔の後段に設置した水質測定手段を備えることが好ましい。
【００１２】
また、前記過酢酸含有排水の処理装置において、前記混床式イオン交換樹脂塔を複数備え、前記水質測定手段による測定結果に基づき、前記複数の混床式イオン交換樹脂塔の通水経路を切り替える通水経路切り替え手段をさらに備えることが好ましい。
【００１３】
また、前記過酢酸含有排水の処理装置において、前記混床式イオン交換樹脂塔の樹脂を再生する混床式イオン交換樹脂塔再生手段と、前記混床式イオン交換樹脂塔の再生排水を用いて前記アニオン交換樹脂塔の樹脂を再生するアニオン交換樹脂塔再生手段と、を備えることが好ましい。
【００１４】
また、本発明は、過酢酸含有排水を還元処理する還元工程と、前記還元処理された還元処理水を、弱塩基性アニオン交換樹脂を用いてアニオン交換処理するアニオン交換工程と、前記アニオン交換処理されたアニオン交換処理水を、強酸性カチオン交換樹脂と強塩基性アニオン交換樹脂または弱塩基性アニオン交換樹脂との混床を用いてイオン交換処理する混床式イオン交換工程と、を含む過酢酸含有排水の処理方法である。
【００１５】
また、前記過酢酸含有排水の処理方法において、前記混床式イオン交換工程における強酸性カチオン交換樹脂と強塩基性アニオン交換樹脂または弱塩基性アニオン交換樹脂との充填比率が１：１〜１：４であることが好ましい。
【００１６】
また、前記過酢酸含有排水の処理方法において、前記混床式イオン交換工程の後段において水質測定を行うことが好ましい。
【００１７】
また、前記過酢酸含有排水の処理方法において、前記混床式イオン交換工程において混床式イオン交換樹脂塔を複数用い、前記混床式イオン交換工程の後段における水質測定結果に基づき、前記複数の混床式イオン交換樹脂塔の通水経路を切り替えることが好ましい。
【００１８】
また、前記過酢酸含有排水の処理方法において、前記混床の再生排水を用いて前記弱塩基性アニオン交換樹脂を再生することが好ましい。
【発明の効果】
【００１９】
本発明では、過酢酸含有排水を還元処理した後、弱塩基性アニオン交換樹脂によるアニオン交換処理、強酸性カチオン交換樹脂と強塩基性アニオン交換樹脂または弱塩基性アニオン交換樹脂との混床による混床式イオン交換処理の順序で処理することにより、カチオンが共存する場合でも、過酢酸含有排水を効率的に処理することができ、処理水中の酢酸の残存量を低減することができる。
【図面の簡単な説明】
【００２０】
【図１】本発明の実施形態に係る過酢酸含有排水の処理装置の一例を示す概略構成図である。
【図２】本発明の実施形態に係る過酢酸含有排水の処理装置の他の例を示す概略構成図である。
【図３】実施例で用いた実験フローを示す概略図である。
【図４】実施例における通水時間と、処理水の酢酸濃度およびカチオン濃度との関係を示す図である。
【発明を実施するための形態】
【００２１】
本発明の実施の形態について以下説明する。本実施形態は本発明を実施する一例であって、本発明は本実施形態に限定されるものではない。
【００２２】
本発明者らは、過酢酸含有排水、特に従来効率的に処理することが困難であったカチオンが共存する過酢酸含有排水の処理について検討したところ、還元処理した後、弱塩基性アニオン交換樹脂によるアニオン交換処理、強酸性カチオン交換樹脂と強塩基性アニオン交換樹脂または弱塩基性アニオン交換樹脂との混床による混床式イオン交換処理の順序で処理することにより、カチオンが共存する場合でも、過酢酸含有排水を効率的に処理することができ、処理水中の酢酸の残存量を低減することが可能となることを見出した。
【００２３】
本発明の実施形態に係る過酢酸含有排水の処理装置の一例の概略を図１に示し、その構成について説明する。過酢酸含有排水処理装置１は、原水槽１０と、還元手段としての還元塔１２と、弱塩基性アニオン交換樹脂を充填したアニオン交換樹脂塔１４と、強酸性カチオン交換樹脂と強塩基性アニオン交換樹脂または弱塩基性アニオン交換樹脂との混床を充填した混床式イオン交換樹脂塔１６とを備える。
【００２４】
図１の過酢酸含有排水処理装置１において、原水槽１０の出口はポンプ１８を介して原水配管２０により還元塔１２の入口に接続され、還元塔１２の出口は還元処理水配管２２によりアニオン交換樹脂塔１４の入口に接続され、アニオン交換樹脂塔１４の出口はアニオン交換処理水配管２４により混床式イオン交換樹脂塔１６の入口に接続され、混床式イオン交換樹脂塔１６の出口には処理水配管２６が接続されている。処理水配管２６には、水質測定手段として電気伝導率計２８が設置されていてもよい。
【００２５】
本実施形態に係る過酢酸含有排水の処理方法および過酢酸含有排水処理装置１の動作について説明する。
【００２６】
原水槽１０に貯留された原水である過酢酸含有排水は、ポンプ１８により原水配管２０を通して還元塔１２に送液され、下向流で通液される。還元塔１２において、還元処理が行われる（還元工程）。還元塔１２において還元処理が行われた還元処理水は、還元処理水配管２２を通してアニオン交換樹脂塔１４に送液され、下向流で通液される。アニオン交換樹脂塔１４において、弱塩基性アニオン交換樹脂を用いてアニオン交換処理が行われる（アニオン交換工程）。アニオン交換樹脂塔１４においてアニオン交換処理が行われたアニオン交換処理水は、アニオン交換処理水配管２４を通して混床式イオン交換樹脂塔１６に送液され、下向流で通液される。混床式イオン交換樹脂塔１６において、強酸性カチオン交換樹脂と強塩基性アニオン交換樹脂または弱塩基性アニオン交換樹脂との混床を用いてイオン交換処理が行われる（混床式イオン交換工程）。混床式イオン交換樹脂塔１６において混床式イオン交換処理が行われた処理水は、処理水配管２６を通して排出される。
【００２７】
過酢酸含有排水処理装置１において、処理水の水質として電気伝導率が、電気伝導率計２８により測定されてもよい。混床式イオン交換樹脂塔１６のカチオン樹脂量の調整、および混床式イオン交換樹脂塔１６の後段への電気伝導率計２８の設置を行い、電気伝導率を測定することで、酢酸リークよりもカチオンリークを監視することができる。万が一、処理水に酢酸がリークしてしまった場合、例えば水道水質基準であるＴＯＣ  ３ｍｇ／Ｌ以下を超過するおそれがある。そのため、アニオンよりもカチオンが先にリークするように混床式イオン交換樹脂塔１６の樹脂量を調整することで水質基準基準を満たすようにし、処理水の水質を監視すればよい。
【００２８】
本実施形態では、還元塔１２で還元処理した還元処理水を、弱塩基性アニオン交換樹脂を充填したアニオン交換樹脂塔１４、次に、強酸性カチオン交換樹脂と強塩基性アニオン交換樹脂または弱塩基性アニオン交換樹脂とを充填した混床式イオン交換樹脂塔１６の順で処理することで、酢酸を効率よく除去することができ、かつ、総樹脂量を低減することができる。装置の後段に設置した混床式イオン交換樹脂塔１６の効果により、弱塩基性アニオン交換樹脂によるアニオン交換処理水中に酢酸がわずかに含まれる場合でも、効率よく除去でき、処理水水質も非常に良好なものが得られる。すなわち、処理水水質に対する費用対効果の最適化が図られる。
【００２９】
イオン交換樹脂塔を複数列設け交互運転またはローテーション運転した場合等、停止中の塔内では、過酢酸含有排水中の酢酸等の有機物が栄養源となり、細菌増殖が起こる可能性がある。配管や、還元塔に用いられる活性炭等は熱水殺菌が可能であるが、イオン交換樹脂塔に用いられるイオン交換樹脂は、通常耐熱温度が低いため熱水殺菌を行うことが困難である。しかし、本実施形態に係る過酢酸含有排水装置１では、装置の後段への混床式イオン交換樹脂塔１６の設置により、カチオン樹脂とアニオン樹脂が混在するため、局所的なｐＨの変化により細菌が増殖しにくい効果が得られる。
【００３０】
混床式イオン交換樹脂塔１６における強酸性カチオン交換樹脂と強塩基性アニオン交換樹脂または弱塩基性アニオン交換樹脂との充填比率は、１：１〜１：４であることが好ましく、１：１〜１：２であることがより好ましい。アニオン交換樹脂に比べてカチオン交換樹脂の樹脂比率を下げることで、カチオンブレークが先に起こるようにコントロールできるため、アニオン交換樹脂からの酢酸リークによる処理水ＴＯＣの上昇を防ぐ効果がある。混床式イオン交換樹脂塔１６において用いる混床は、強酸性カチオン交換樹脂と強塩基性アニオン交換樹脂の混床、または強酸性カチオン交換樹脂と弱塩基性アニオン交換樹脂の混床であるが、処理水水質向上等の点から、強酸性カチオン交換樹脂と強塩基性アニオン交換樹脂の混床が好ましい。
【００３１】
また、過酢酸含有排水の場合、ほとんどが酢酸等に由来するアニオン負荷なので、カチオン樹脂量はより少ない比率で良いと考えられる。カチオン樹脂量を減らすことにより、カチオン樹脂量とアニオン樹脂量の和である総樹脂量の低減によるイニシャルコストを低減することができる。
【００３２】
還元手段としては、過酢酸含有排水に含まれる過酢酸、過酸化水素等を還元処理することができる装置であればよく、特に制限はない。還元塔１２を用いる場合、還元塔１２内に充填される充填材には特に制限はなく、例えば、活性炭、触媒等が挙げられ、費用対効果等の観点から活性炭が好ましい。
【００３３】
アニオン交換樹脂塔１４および混床式イオン交換樹脂塔１６において用いられる弱塩基性アニオン交換樹脂としては、例えば、ＤＩＡＩＯＮ  ＷＡ２１（三菱化学製）、ＡＭＢＥＲＬＩＴＥ  ＩＲＡ６７（ダウ・ケミカル製）等の市販品を用いることができる。
【００３４】
混床式イオン交換樹脂塔１６において用いられる強酸性カチオン交換樹脂としては、例えば、ＤＩＡＩＯＮ  ＳＫ１Ｂ（三菱化学製）、ＡＭＢＥＲＬＩＴＥ  ＩＲ１２４（ダウ・ケミカル製）等の市販品を用いることができる。
【００３５】
混床式イオン交換樹脂塔１６において用いられる強塩基性アニオン交換樹脂としては、例えば、ＡＭＢＥＲＬＩＴＥ  ＩＲＡ４０２（ダウ・ケミカル製）等の市販品を用いることができる。
【００３６】
水質測定手段としては、処理水の水質を測定することができるものであればよく、特に制限はないが、例えば、処理水の電気伝導率を測定する電気伝導率計、比抵抗計、ｐＨ計等が挙げられる。
【００３７】
過酢酸含有排水処理装置１において、混床式イオン交換樹脂塔１６を再生する混床式イオン交換樹脂塔再生手段と、混床式イオン交換樹脂塔１６の再生排水を用いてアニオン交換樹脂塔１４を再生するアニオン交換樹脂塔再生手段と、を備え、混床式イオン交換樹脂塔１６の再生排水を用いてアニオン交換樹脂塔１４を再生することが好ましい。混床式イオン交換樹脂塔１６の再生排水をアニオン交換樹脂塔１４に充填した弱塩基性アニオン交換樹脂の再生に用いることで、苛性ソーダ等の再生剤の使用量を低減することができる。例えば、図１の処理水配管２６から混床式イオン交換樹脂塔１６、アニオン交換樹脂塔１４の順に再生水を通液すればよい。
【００３８】
本実施形態に係る過酢酸含有排水の処理装置の他の例の概略構成を図２に示す。図２の過酢酸含有排水処理装置３では、並列に配置された２台の混床式イオン交換樹脂塔１６ａ，１６ｂを備え、アニオン交換処理水配管２４が途中で分岐して、それぞれが通水経路切り替え手段としてのバルブ３０ａ，３０ｂを介して混床式イオン交換樹脂塔１６ａ，１６ｂの入口に接続され、混床式イオン交換樹脂塔１６ａ，１６ｂの出口に接続されたそれぞれの処理水配管２６が合流し、処理水配管２６には水質測定手段として電気伝導率計２８が設置されている。
【００３９】
図２に示すように、過酢酸含有排水処理装置３において、混床式イオン交換樹脂塔１６を例えば並列に複数設置し（図２の例では、２台の混床式イオン交換樹脂塔１６ａ，１６ｂであるが、設置数には特に制限はない。）、複数の混床式イオン交換樹脂塔１６ａ，１６ｂの後段における電気伝導率計２８による水質測定結果に基づき、複数の混床式イオン交換樹脂塔１６ａ，１６ｂの通水経路を切り替えることが好ましい。例えば、図示しない制御手段により、電気伝導率計２８からの信号と、バルブ３０ａ，３０ｂの開閉とを連動させることで、複数列設置した混床式イオン交換樹脂塔１６ａ，１６ｂの通水ラインを切り替えればよい。
【００４０】
これにより、酢酸リークよりもカチオンリークを監視することができる。アニオンよりもカチオンが先にリークするように混床式イオン交換樹脂塔１６ａ，１６ｂの通水ラインを切り替えることで、水質基準基準を満たすように処理水の水質を監視することができる。
【００４１】
本実施形態において処理対象となる過酢酸含有排水としては、例えば、飲料製造工場、食品製造工場等から排出される過酢酸含有排水が挙げられる。飲料製造工場等におけるペットボトル等を製造する際に発生するオキソニアを含む洗浄排水を処理する場合に、好適に適用され、特に、オキソニアおよびカチオンを含む洗浄排水を処理する場合に、好適に適用される。
【００４２】
過酢酸含有排水の過酢酸の濃度としては、例えば、１〜２０ｍｇ／Ｌ程度であり、酢酸の濃度としては、例えば、１〜２００ｍｇ／Ｌ程度である。カチオンを含む場合の過酢酸含有排水のカチオン濃度としては、例えば、硬度で１０〜１００ｍｇ  ａｓ  ＣａＣＯ３／Ｌ程度である。
【実施例】
【００４３】
以下、実施例および比較例を挙げ、本発明をより具体的に詳細に説明するが、本発明は、以下の実施例に限定されるものではない。
【００４４】
＜実施例１、比較例１，２＞
以下に示す比較実験を行った。実験フローを図３に示す。また、実験結果として、通水時間と、処理水の酢酸濃度およびカチオン濃度との関係を図４に示す。
【００４５】
［共通実験条件］
（実験条件）
・原水：純水＋オキソニア（エコラボ社製、オキソニアアクティブ９０）
・オキソニア濃度：１，０００ｍｇ／Ｌ（酢酸：約１００ｍｇ／Ｌ、過酢酸：約１０ｍｇ／Ｌ、過酸化水素：約１００ｍｇ／Ｌ）
・原水流量：１０Ｌ／ｈ
・通水時間：７２ｈ連続通水
・原水カチオン濃度：Ｎａ＋Ｃａ＋Ｍｇ＝２０ｍｇ  ａｓ  ＣａＣＯ３／Ｌ
（装置）
・還元塔：触媒（オルガノ株式会社製、オルキャットＱＢ）
【００４６】
［比較実験条件］
（実施例１）
還元塔→弱塩基性アニオン樹脂→混床式（強酸性カチオン交換樹脂＋強塩基性アニオン交換樹脂）
・弱塩基性アニオン交換樹脂（ＡＭＢＥＲＬＩＴＥ  ＩＲＡ６７）：０．５Ｌ
・混床式：強酸性カチオン交換樹脂（ＡＭＢＥＲＬＩＴＥ  ＩＲ１２４）０．１Ｌ＋強塩基性アニオン交換樹脂（ＡＭＢＥＲＬＩＴＥ  ＩＲＡ４０２）０．１Ｌ
・総樹脂量：０．７Ｌ
（比較例１）
還元塔→強酸性カチオン交換樹脂→弱塩基性アニオン交換樹脂
・強酸性カチオン交換樹脂（ＤＩＡＩＯＮ  ＳＫ１Ｂ）：０．３Ｌ
・弱塩基性アニオン交換樹脂（ＤＩＡＩＯＮ  ＷＡ２１）：０．７Ｌ
・総樹脂量：１．０Ｌ
（比較例２）
還元塔→弱塩基性アニオン交換樹脂→強酸性カチオン交換樹脂
・弱塩基性アニオン交換樹脂（ＤＩＡＩＯＮ  ＷＡ２１）：０．７Ｌ
・強酸性カチオン交換樹脂（ＤＩＡＩＯＮ  ＳＫ１Ｂ）：０．３Ｌ
・総樹脂量：１．０Ｌ
【００４７】
処理水の酢酸濃度は、キャピラリ電気泳動法により測定した。処理水のカチオン濃度は、イオンクロマトグラフィにより測定した。
【００４８】
図４に示すように、実施例１と比較例１の処理水の酢酸濃度は両者共に良好であったが、実施例１の方が総樹脂量は少なかった。実施例１と比較例２の処理水の酢酸濃度を比較すると、比較例２の方が高かった。実施例１と比較例１の処理水におけるカチオンまたは酢酸リークまでの、総樹脂量当たりの酢酸収量を計算すると、実施例１が１４ｇ／Ｌ−樹脂、比較例１が１１ｇ／Ｌ−樹脂となり、実施例１の方が少ない樹脂量で効率よく酢酸を除去することができることが確認できた。
【００４９】
さらに、実施例１の場合、酢酸リークよりも先にカチオン（Ｎａ＋Ｃａ＋Ｍｇ）リークが生じていることを確認した。電気伝導率計などでカチオンリークを先に監視することで、酢酸リークが生じる前に的確なタイミングで再生を行うことができる。
【符号の説明】
【００５０】
１，３  過酢酸含有排水処理装置、１０  原水槽、１２  還元塔、１４  アニオン交換樹脂塔、１６，１６ａ，１６ｂ  混床式イオン交換樹脂塔、１８  ポンプ、２０  原水配管、２２  還元処理水配管、２４  アニオン交換処理水配管、２６  処理水配管、２８  電気伝導率計、３０ａ，３０ｂ  バルブ。
【図１】
2014064971.tif 000003
【図２】
2014064971.tif 000004
【図３】
2014064971.tif 000005
【図４】
2014064971.tif 000006